(57)【要約】      （修正有）【課題】輝度むらが少なく、照明範囲を変化させることができる照明ユニットを提供する。【解決手段】ＬＥＤ１００は、略四角形の一隅に配設された基台１０１上に取着されている。ＬＥＤ１００の出射光は反射板１０２に斜めに入射し、照明ユニットの一隅から全面へ導かれる。反射板１０２は、ＬＥＤ１００に近い部分では反射率が低く、ＬＥＤ１００から離れるに連れて反射率が高くなっており、ＬＥＤ１００の出射光を拡散板１０７へ向けて反射する。反射板１０３、１０４はそれぞれ矢印Ａ、Ｂ方向に往復移動して、照明ユニットによる照明範囲が変化する。【選択図】図１
2011076906.tif 000002
【特許請求の範囲】
【請求項１】
固体発光素子を有する発光部と、
反射板と、
発光部から反射板に至る出射光の光路上に出退可能な遮光部材と、
前記遮光部材の出退動作を制御して、前記出射光の光路を変更する光路変更手段と、を備え、
前記発光部は、前記遮光部材が前記出射光の光路上から退いた状態で、当該反射板の略全体に出射光が入射するように、前記反射板の端部に対向して配設され、
前記反射板は、発光部から遠い部分ほど反射率が高い
ことを特徴とする照明ユニット。
【請求項２】
前記遮光部材の前記発光部側には、発光部の出射光を反射する反射面が形成されている
ことを特徴とする請求項１に記載の照明ユニット。
【請求項３】
前記遮光部材は、前記反射板上に立設されており、
前記光路変更手段の制御の下、前記反射板に沿って移動する
ことを特徴とする請求項１に記載の照明ユニット。
【請求項４】
前記反射板による反射光を拡散させる拡散部材を備える
ことを特徴とする請求項１に記載の照明ユニット。
【請求項５】
前記発光部の出射光の主光線は、前記反射板の主面に斜交する
ことを特徴とする請求項１に記載の照明ユニット。
【請求項６】
前記発光部は、前記反射板の端部に配設されている
ことを特徴とする請求項５に記載の照明ユニット。
【請求項７】
前記反射板は、平面視において矩形状をしており、前記端部は当該矩形の何れか一隅である
ことを特徴とする請求項６に記載の照明ユニット。
【請求項８】
前記反射板は、その主面上に設けられた反射ドットまたは反射溝の密度が異なることによって、反射率を異ならせている
ことを特徴とする請求項１に記載の照明ユニット。
【請求項９】
前記反射板は、反射率の異なる樹脂若しくは金属からなっている
ことを特徴とする請求項１に記載の照明ユニット。
【請求項１０】
前記反射板に対向し、かつ、離隔する透光部材と、
当該透光部材上に配設された基台と、を備え、
当該基台は、前記発光部を載置する傾斜面を有し、
当該傾斜面は、その延長上において前記反射板の主面に斜交する
ことを特徴とする請求項１に記載の照明ユニット。
【請求項１１】
前記透光部材に沿って、前記基台を移動させる基台移動手段を備える
ことを特徴とする請求項１０に記載の照明ユニット。
【請求項１２】
前記傾斜面に沿って、前記発光部を移動させる発光部移動手段を備える
ことを特徴とする請求項１０に記載の照明ユニット。
【請求項１３】
固体発光素子を有する発光部と、
反射板と、
発光部から反射板に至る出射光の光路上に配され、遮光状態と透光状態との何れかの状態をとるシャッタ部材と、
前記シャッタ部材の状態を制御して、前記出射光の光路を変更する光路変更手段と、を備え、
前記発光部は、前記シャッタ部材が前記出射光の光路上から退いた状態で、当該反射板の略全体に出射光が入射するように、前記反射板の端部に対向して配設され、
前記反射板は、発光部から遠い部分ほど反射率が高い
ことを特徴とする照明ユニット。
【発明の詳細な説明】
【技術分野】
【０００１】
本発明は、照明ユニットに関し、特に、輝度むらが少なく、照明範囲を変化させることができる照明ユニットに関する。
【背景技術】
【０００２】
近年、地球環境に対する配慮から、長寿命で低消費電力の固体発光素子を照明用光源に利用する技術が提案されている。
例えば、青色発光ダイオード（LED: Light-Emitting Diode）を多数実装した基板と、黄色発光の蛍光体分散樹脂と、直方体形状の導光体と、を備え、ＬＥＤの出射光を蛍光体樹脂に照射して得られた白色光を導光体に導入して面光源とする照明装置が提案されている（特許文献１）。
【０００３】
このような照明装置を用いれば、保守費用や電力消費を低減しながら、例えば、広い室内空間を照明することができる。
【先行技術文献】
【特許文献】
【０００４】
【特許文献１】特開２００７−２６５７８８号公報
【発明の概要】
【発明が解決しようとする課題】
【０００５】
しかしながら、照明装置には様々なニーズがあり、常に室内全体を照明しなければならない訳ではなく、照明を一部分だけに留めなければならない場合もある。例えば、プロジェクタを用いて会議室正面のスクリーンに資料を投影しながら講演するような場合には、映像を見易くするために室内前方は消灯し、手許を明るくするために室内後方は照明するといったことがしばしば行われている。
【０００６】
このような場合に、室内前方と後方とで別個に光源を設けると、熱源（光源は発熱する。）が増えて放熱性が低下するので、室内全体を照明する場合に発光効率が低下してしまう。また、ＬＥＤの実装基板の中央部分では周辺部分よりも放熱性が悪いので、中央部分における発光効率が周辺部分よりも低下して輝度むらが生じる結果ともなる。
本発明は、上述のような問題に鑑みてなされたものであって、輝度むらが少なく、照明範囲を変化させることができる照明ユニットを提供することを目的とする。
【課題を解決するための手段】
【０００７】
上記目的を達成するため、本発明に係る照明ユニットは、固体発光素子を有する発光部と、反射板と、発光部から反射板に至る出射光の光路上に出退可能な遮光部材と、前記遮光部材の出退動作を制御して、前記出射光の光路を変更する光路変更手段と、を備え、前記発光部は、前記遮光部材が前記出射光の光路上から退いた状態で、当該反射板の略全体に出射光が入射するように、前記反射板の端部に対向して配設され、前記反射板は、発光部から遠い部分ほど反射率が高いことを特徴とする。
【発明の効果】
【０００８】
このようにすれば、反射板の反射率が発光部から遠い部分ほど高いの輝度むらを低減することができる。また、発光部の出射光を遮光する遮光部材を制御して、反射板への出射光の入射面積を増減させるので、照明範囲を変化させることができる。
この場合において、前記遮光部材の前記発光部側に、発光部の出射光を反射する反射面が形成すれば、発光効率を向上させることができる。
【０００９】
また、前記遮光部材は、前記反射板上に立設されており、前記光路変更手段の制御の下、前記反射板に沿って移動するとすれば、反射板を移動させる機構によって、照明光が遮られないので、発光効率が良い。
また、前記反射板による反射光を拡散させる拡散部材を備えたり、前記発光部の出射光の主光線が前記反射板の主面に斜交したりすれば、更に、輝度むらを低減することができる。
【００１０】
また、前記発光部が前記反射板の端部に配設されていれば、発光部の保守が容易である。
また、前記反射板が平面視において矩形状をしており、前記端部が当該矩形の何れか一隅であれば、平面視において矩形形状の居室に最適である。
また、前記反射板は、その主面上に設けられた反射ドットまたは反射溝の密度が異なることによって、反射率を異ならせても良いし、前記反射板は、反射率の異なる樹脂若しくは金属からなっていても良い。何れとしても、安価に反射率を変化させることができる。
【００１１】
また、前記反射板に対向し、かつ、離隔する透光部材と、当該透光部材上に配設された基台と、を備え、当該基台は、前記発光部を載置する傾斜面を有し、当該傾斜面は、その延長上において前記反射板の主面に斜交するとすれば、透光部材にて照明光を基台の背面まで導くので優れた配光を得ることができる。
この場合において、前記透光部材に沿って、前記基台を移動させる基台移動手段を備えるとし、或いは、前記傾斜面に沿って、前記発光部を移動させる発光部移動手段を備えるとすれば、照明範囲を更に自由に変化させることができる。
【００１２】
また、本願発明に係る照明ユニットは、更に、固体発光素子を有する発光部と、反射板と、発光部から反射板に至る出射光の光路上に配され、遮光状態と透光状態との何れかの状態をとるシャッタ部材と、前記シャッタ部材の状態を制御して、前記出射光の光路を変更する光路変更手段と、を備え、前記発光部は、前記シャッタ部材が前記出射光の光路上から退いた状態で、当該反射板の略全体に出射光が入射するように、前記反射板の端部に対向して配設され、前記反射板は、発光部から遠い部分ほど反射率が高いことを特徴とする。
【００１３】
このようにすれば、上述のように輝度むらを低減すると共に、シャッタ部材を制御して、反射板への出射光の入射面積を増減させるので、照明範囲を変化させることができる。
【図面の簡単な説明】
【００１４】
【図１】本発明の実施の形態に係る照明ユニットの主要な構成を示す図であって、（ａ）は平面図であり、（ｂ）は側面図である。
【図２】反射板１０２の反射特性を示す図であって、（ａ）は平面図であり、（ｂ）は側面図である。
【図３】本発明の変形例に係る照明ユニットの構成を模式的に示す平面図である。
【図４】反射板３０２がレール３０２Ｒに懸垂するための構造を模式的に示す側面図である。
【図５】本発明の変形例に係る照明ユニットの構成を模式的に示す平面図である。
【図６】本発明の変形例に係る反射板の駆動機構を模式的に示す側面図である。
【図７】本発明の変形例に係る照明ユニットの構成を模式的に示す側面図である。
【図８】本発明の実施の形態に係る照明ユニットの構成を模式的に示す平面図である。
【図９】本発明の実施の形態に係る照明ユニットの構成を模式的に示す平面図である。
【図１０】本発明の変形例に係る照明ユニットの主要な構造（一部）を示す模式図であって、（ａ）は平面図であり、（ｂ）は（ａ）のＬ−Ｌ線における矢視断面図である。
【図１１】本発明の変形例に係る照明ユニットの構成を模式的に示す側面図であって、（ａ）と（ｂ）とにはそれぞれ異なる照明ユニットが示されている。
【図１２】本発明の変形例に係る照明ユニットの構成を模式的に示す側面図である。
【発明を実施するための形態】
【００１５】
以下、本発明に係る照明ユニットの実施の形態について、図面を参照しながら説明する。
［１］  実施の形態
先ず、本実施の形態に係る照明ユニット構成について説明する。
図１は、本実施の形態に係る照明ユニットの主要な構成を示す図であって、（ａ）は平面図であり、（ｂ）は側面図である。
【００１６】
図１に示されるように、照明ユニット１は、平面視において略四角形の天井埋め込み型の照明装置であって、ＬＥＤ１００、基台１０１、反射板１０２〜１０６及び拡散板１０７を備えている。照明ユニット１は、拡散板１０７と天井面１１０が略同一平面となるように、不図示の固定具にて固定されている。
ＬＥＤ１００は、略四角形の一隅に配設された基台１０１上に取着されている。基台１０１の取着面は、ＬＥＤ１００の出射光の主光線が反射板１０２に斜めに入射するように、反射板１０２に対して傾斜している。この傾斜によって、ＬＥＤ１００の出射光が照明ユニット１の一隅から全面へ導かれる。
【００１７】
反射板１０２は略矩形状の平板な部材であって、ＬＥＤ１００の出射光を拡散板１０７へ向けて反射する。反射板１０２には、後述のように、反射板１０３、１０４が往復移動できるようにスリット１０３Ｓ、１０４Ｓが設けられている。
図２は、反射板１０２の反射特性を示す図であって、（ａ）は平面図であり、（ｂ）は側面図である。図２（ａ）においては、反射率が低いほど黒く、反射率が高いほど白くなるように彩色が施されている。図２（ａ）に示されるように、反射板１０２はＬＥＤ１００に近い部分では反射率が低く、ＬＥＤ１００から離れるに連れて反射率が高くなっている。
【００１８】
反射板１０２にはＬＥＤ１００からの入射光を反射する反射ドット（図示省略）が形成されており、反射率が低い部分は単位面積当たりの反射ドット数が少なく、反射率が高い部分は単位面積当たりの反射ドット数が多くなっている。なお、反射ドットに代えて、反射溝を形成しても良い。また、スリット１０３Ｓ、１０４Ｓでは照明光は反射されない。
ＬＥＤ１００から反射板１０２への入射光量は、ＬＥＤ１００から近いほど大きく、遠いほど小さいのに対して、上述のようにＬＥＤ１００からの距離に応じて反射率を異ならせれば、図２（ｂ）に示されるように、反射板１０２から拡散板１０７へ向かう反射光量を平均化して、輝度むらを抑えることができる。拡散板１０７は反射板１０２からの入射光を拡散することによって、更に輝度むらを抑制する。
【００１９】
なお、拡散板には、例えば、樹脂中に照明光を拡散させる拡散片（例えば、金属箔、ビーズ、酸化金属粒子等。）が封入されてなる。
また、ＬＥＤ１００から最も遠い位置には反射板１０３〜１０５が配設されており、これら反射板１０３〜１０５が、反射板１０２からの反射光や拡散板１０７からの拡散光を反射することによっても、ＬＥＤ１００から最も遠い位置における輝度を補うことができる。
【００２０】
反射板１０５が固定されているのに対して、反射板１０３、１０４はそれぞれ矢印Ａ、Ｂ方向に往復移動することができる。反射板１０３、１０４はそれぞれスリット１０３Ｓ、１０４Ｓを通って反射板１０２の裏面に突出しており、当該突出部分にはそれぞれピニオン１０３Ｐ、１０４Ｐが取着されている。ピニオン１０３Ｐ、１０４Ｐはそれぞれ不図示の駆動源によって駆動され、ラック１０３Ｒ、１０４Ｒ上を往復移動する。これによって反射板１０３、１０４がそれぞれスリット１０３Ｓ、１０４Ｓに沿って往復移動する。
【００２１】
反射板１０３、１０４は、図１（ａ）において、実線にて示される位置と、破線にて示される位置との何れかの位置に静止し、往復移動途上の位置には静止しない。また、反射板１０３が実線位置にあるときは、反射板１０４もまた実線位置に静止し、何れかが破線位置にあるときには他方も破線位置に静止する。これによって、照明ユニット１による照明範囲が変化する。
【００２２】
［２］  変形例
以上、本発明を実施の形態に基づいて説明してきたが、本発明が上述の実施の形態に限定されないのは勿論であり、以下のような変形例を実施することができる。
（１）  上記実施の形態においては特に言及しなかったが、反射板１０３、１０４が実線位置にある場合（全体照明）と、破線位置にある場合（部分照明）とでＬＥＤ１００の出射光量を同じにすると、言うまでも無く全体照明よりも部分照明の方が明るくなってしまう。これに対して、全体照明と部分照明とで明るさを一定に保つためには、部分照明の場合にはＬＥＤ１００の出力光量が低下するように、ＬＥＤ１００への印加電圧を低下させれば良い。
【００２３】
この場合において、反射板１０３、１０４の移動に合わせて印加電圧を自動的に調整しても良いし、ＬＥＤ１００の出力光量を調整するためのスイッチをユーザに操作させても良い。何れの方法をとっても、照明ユニット１の明るさを最適に保つことができる。また、輝度むらを抑え、照明範囲を変化させることができるという本発明の効果に変わりがないことは言うまでもない。
【００２４】
（２）  上記実施の形態においては、反射板１０３、１０４を移動させる場合について説明したが、本発明がこれに限定されないのは言うまでもなく、更に多数の反射板を設けても良い。
図３は、本変形例に係る照明ユニットの構成を模式的に示す平面図である。図３に示されるように、照明ユニット２は、ＬＥＤ３００、基台３０１及び反射板３０２〜３０８を備えており、基台３０１上に配設されたＬＥＤ３００の出射光が反射板３０２〜３０７にて反射され不図示の拡散板にて拡散することによって照明光を得る。また、反射板３０７上にはレール３０２Ｒ〜３０５Ｒが配設されている。
【００２５】
反射板３０２はレール３０２Ｒに懸垂しており、不図示の制御装置の制御の下、矢印Ｃに沿って往復移動する。図４は、反射板３０２がレール３０２Ｒに懸垂するための構造を模式的に示す側面図である。図４に示されるように、反射板３０２には、ホイール４０１と、これを駆動する駆動部４０２と、が配設されている。また、反射板３０２には、レール３０２Ｒを通すためのスリット４０３が設けられている。
【００２６】
反射板３０２は、ホイール４０１にレール３０２Ｒの台部分を走行させることによって往復移動する。同様に、反射板３０３〜３０５はそれぞれレール３０３Ｒ〜３０５Ｒに懸垂しており、同じく制御装置の制御の下、矢印Ｄ、Ｅ、Ｆに沿って往復移動する。
このように反射板の分割を細かくすれば、照明ユニットが照明する範囲をより柔軟に変更することができる。
【００２７】
（３）  上記実施の形態においては、照明ユニットの形状が平面視において矩形状である場合について説明したが、本発明がこれに限定されないのは言うまでもなく、矩形以外の形状をとっても良い。
図５は、本変形例に係る照明ユニットの構成を模式的に示す平面図である。図５に示されるように、照明ユニット５は平面視においてＬ字型となっており、ＬＥＤ５００、基板５０１及び反射板５０２〜５０６を備えている。反射板５０２、５０３はそれぞれレール５０２Ｒ、５０３Ｒに懸垂しており、矢印Ｇ、Ｈに沿って往復移動する。
【００２８】
このようなＬ字型の照明ユニットを用いれば、天井がＬ字型の部屋であっても、  輝度むらを少なし、かつ照明範囲を変化させることができる。このように、天井が矩形以外の形状である場合でも本発明を適用してその効果をえることができる。
（４）  上記実施の形態においては、反射板を往復移動させることによって照明範囲を変化させる場合について説明したが、本発明がこれに限定されないのは言うまでもなく、次のようにしても良い。
【００２９】
図６は、本変形例に係る反射板の駆動機構を模式的に示す側面図である。図６に示されるように、照明ユニット６においては、反射板６０１が自重にてワイヤ６０２に懸垂されており、ワイヤ６０２はプーリー６０３に懸架されている。また、プーリー６０４は不図示の駆動源によって回転駆動され、ワイヤ６０２を巻き取ることによって、反射板６０１を上下動させる。
【００３０】
これによって、反射板６０１は反射板６１１から突出して、ＬＥＤ６１０の出射光を反射したり、反射板６１１の背面に退避したりして、照明ユニット６の照明範囲を変化させることができる。
また、図７は、別の変形例に係る照明ユニットの構成を模式的に示す側面図である。図７に示されるように、照明ユニット７は、液晶シャッタ７０１、ＬＥＤ７０２、反射板７０３及び拡散板７０４を備えており、液晶シャッタ７０１に印加する電圧を制御することによって、ＬＥＤ７０２の出射光を遮光して、その到達範囲を制限する。このようにすれば、機械的な駆動部分を用いることなく照明範囲を変化させることができるので、照明ユニットの寿命化を図ることができる。
【００３１】
なお、ＬＥＤ７０２の遮光時における液晶シャッタ７０１の反射率は必ずしも高くなくても、照明範囲を小さくするという機能を果たすことができる。ただし、液晶シャッタ７０１の反射率が高い方が照明ユニット７の発光効率が高くなることは言うまでもない。
（５）  上記実施の形態においては、基台の斜面上にＬＥＤを配設する場合について説明したが、本発明がこれに限定されないのは言うまでもなく、これに代えて次のようにしても良い。
【００３２】
図８は、本変形例に係る照明ユニットの構成を模式的に示す平面図である。図８に示されるように、照明ユニット８は、ＬＥＤ８０１、反射板８０２〜８０４及び拡散板８０５を備えている。反射板８０２は不図示の昇降機によって反射板８０３側端が矢印Ｉ方向に上下動して、傾斜角を変化させることができる。
このようにすれば、照明範囲が大きい場合には拡散板８０５に対する反射板８０３の傾斜角を大きくして、より広い範囲に照明光をゆきわたらせ、逆に、照明範囲が小さい場合には傾斜角を小さくして照明光を集めることができるので、照明範囲の大きさに応じた最適な配光を得ることができる。
【００３３】
（６）  上記実施の形態においては、特に言及しなかったが、照明範囲を小さくしたときに当該範囲外に光が漏れないように、次のようにしても良い。
図９は、本変形例に係る照明ユニットの構成を模式的に示す平面図である。図９に示されるように、照明ユニット９はＬＥＤ９００、基台９０１、反射板９０２〜９０６を備えており、反射板９０２にはスリット９０３Ｓ、９０４Ｓが設けられている。
【００３４】
本変形例において特徴的なのは、破線９１０に囲まれた部分に示されるように、照明範囲を小さくする際に、反射板９０４の主面が反射板９０３の端面を覆うように当接することである。このようにすれば、反射板９０３と反射板９０４との隙間をほぼ無くすことができるので、隙間からの照明光の漏れをなくして、優れた配光を実現することができる。
また、照明範囲を小さくする際には、まず反射板９０３が矢印Ｊに沿って移動した後、反射板９０４が矢印Ｋに沿って所定位置へ移動する。このようにすることによって、反射板９０４は反射板９０３の端面を確実に覆うことができる。
【００３５】
また、照明範囲を大きくする際には、まず反射板９０４が矢印Ｋに沿って壁面位置へ移動した後、反射板９０３が矢印Ｊに沿って壁面位置へ移動する。このようにすれば、反射板９０３の端面が反射板９０４の主面を擦らないので、反射板９０４の主面が傷つかず、照明ユニット９の長寿命化を図ることができる。
（７）  上記実施の形態においては、基台の傾斜面上にＬＥＤを固定する場合について説明したが、本発明がこれに限定されないのは言うまでもなく、これに代えて次のようにしても良い。
【００３６】
図１０は、本変形例に係る照明ユニットの主要な構造（一部）を示す模式図であって、（ａ）は平面図であり、（ｂ）は（ａ）のＬ−Ｌ線における矢視断面図である。図１０に示されるように、照明ユニット１０は、ＬＥＤ１００１、基台１００２、反射板１００３及び拡散板１００４を備えている。
ＬＥＤ１００１は、基台１００２の傾斜面上に配設されており、不図示の移動機構によって矢印Ｍ方向に往復移動することができる。このような仕組みを用いれば、照明ユニット１０の照明範囲が大きい場合にはＬＥＤ１００１を拡散板１００４に近づけ、照明範囲が小さい場合にはＬＥＤ１００１を拡散板１００４から遠ざけることができるので、優れた配光特性を実現することができる。
【００３７】
（８）  上記実施の形態においては、平板な拡散板の主面上に配設された基台の傾斜面上にＬＥＤを設置する場合について説明したが、本発明がこれに限定されないのは言うまでもなく、次のようにしても良い。
図１１は、本変形例に係る照明ユニットの構成を模式的に示す側面図であって、（ａ）と（ｂ）とにはそれぞれ異なる照明ユニットが示されている。図１１（ａ）に示される照明ユニット１１ａは、ＬＥＤ１１０１、基台１１０２、反射板１１０３〜１１０５、拡散板１１０６及び透光板１１０７を備えており、反射板１１０４は反射板１１０５と拡散板１１０６との間を矢印Ｎ方向に往復移動することによって照明ユニット１１ａの照明範囲を変化させる。
【００３８】
また、基台１１０２は透光板１１０７の反射板１１０５側に配設されている。このようにすれば、反射板１１０５にて反射された照明光を、透光板１１０７を介して、基台１１０２の背面側にも導くことができるので、より広い範囲を照明することができる。なお、基台１１０２の背面とは、ＬＥＤ１１０１が配設された傾斜面とは反対側の面であって、透光板１１０７に接する面をいう。
【００３９】
すなわち、透光板１１０７を用いて、基台１１０２と拡散板１１０６との間へ照明光を導くことによって、照明範囲を拡大し、優れた配光特性を実現することができる。
なお、照明ユニット１１ａは、上記実施の形態に係る照明ユニット１と同様に四辺に反射板を配した構成となっており、そのうち２辺分の反射板１１０３、１１０４が図１１（ａ）に示されている。図１１（ｂ）も同様である。
【００４０】
また、図１１（ｂ）に示されるように、照明ユニット１１ｂはＬＥＤ１１１１、基台１１１２、反射板１１１３〜１１１５、拡散板１１１６及び補助光源１１１７を備えており、反射板１１１４は反射板１１１５と拡散板１１１６との間を矢印Ｏ方向に往復移動することによって照明ユニット１１ｂの照明範囲を変化させる。
また、基台１１１２は、拡散板１１１６の反射板１１１５側に配設されており、補助光源１１１７は、反射板１１１５を挟んで基台１１１２に対向するように配設されている。このようにすれば、基台１１１２によって遮光された照明範囲を補助光源によって照明するので、やはり、照明範囲を拡大し、優れた配光特性を実現することができる。
【００４１】
（９）  上記実施の形態においては、ＬＥＤが配設された位置へ向かって照明範囲を縮小する場合について説明したが、本発明がこれに限定されないのは言うまでもなく、以下のようにしても良い。
図１２は、本変形例に係る照明ユニットの構成を模式的に示す側面図である。図１２に示されるように、照明ユニット１２はＬＥＤ１２０１ａ、１２０１ｂ、基台１２０２、反射板１２０３〜１２０５及び拡散板１２０６を備えている。基台１２０２は２つの傾斜面を有しており、一方の傾斜面は反射板１２０３側に向いており、他方の傾斜面は反射板１２０４に向いている。
【００４２】
ＬＥＤ１２０１ａ、１２０１ｂはそれぞれ基台１２０２の相異なる傾斜面上に配設されている。反射面１２０３、１２０４及び基台１２０２は矢印Ｐ方向に往復移動することができるようになっており、ＬＥＤ１２０１ａ、ＬＥＤ１２０１ｂもまた基台１２０２と共に往復移動する。
このような構成を備えることによって、照明範囲の一方の端部のみでなく（図１２（ａ））、他方の端部のみを照明したり（図１２（ｂ））、また中央部のみを照明したり（図１２（ｃ））、照明範囲を自由に変えることができる。
【００４３】
（１０）  上記実施の形態においては、パッケージに発光素子を一次実装したＬＥＤを基台の傾斜面上に二次実装する場合について説明したが、本発明がこれに限定されないのは言うまでもなく、当該傾斜面上に発光素子を一次実装しても良い。
また、ＬＥＤには、青色〜ＵＶ（ultraviolet）光を発する発光素子と波長変換部材との組合せによる白色ＬＥＤ、青色、緑色、赤色を発する発光素子の組合せによる白色ＬＥＤを用いることができる。各色の強度バランスを制御することによる調色も可能となる。単色の発光素子で構成してもよい。
【００４４】
波長変換部材には、例えばＹＡＧ蛍光体（（Ｙ，Ｇｄ）３Ａｌ５Ｏ１２：Ｃｅ３＋）、珪酸塩蛍光体（（Ｓｒ，Ｂａ）２ＳｉＯ4：Ｅｕ２＋）、窒化物蛍光体（（Ｃａ，Ｓｒ，Ｂａ）ＡｌＳｉＮ３：Ｅｕ２＋）、酸窒化物蛍光体（Ｂａ3Ｓｉ6Ｏ12Ｎ2:Ｅｕ2＋）、α-サイアロン蛍光体（Ｃａ-α-ＳｉＡｌＯＮ：Ｅｕ２＋）等を用いることができる。これら蛍光体材料をシリコーン等の樹脂材に分散したもの、ガラス等の無機材に分散したもの、セラミックに焼成したものなどを用いることができる。
【００４５】
（１１）  上記実施の形態においては、拡散板を用いて照明光を拡散させる場合について説明したが、本発明がこれに限定されないのは言うまでもなく、拡散板に代えて他の手段で配光を調整しても良い。
配光を調整する配光調整部材としては、透光性樹脂、セラミック材、ガラス材等を適宜選択することができる。また、これらの部材表面を曲面加工、凹凸加工したり、内部や表面に光拡散材料を分散、散布することで、配光制御機能、混色機能をもたらすことが出来る。
【００４６】
（１２）  上記実施の形態においては、図２に示されるような同心円状に反射板の反射率を変化させる場合について説明したが、本発明がこれに限定されないのは言うまでもなく、反射率の分布を同心円状以外の分布としても良く、反射板上の光度が高いほど反射率を低くし、光度が低いほど反射率を高くするのが望ましい。
例えば、ＬＥＤの配光が、ＬＥＤの正面が明るく、周囲に広がるに従って暗くなるランバーシアン（Lambertian）配光であって、指向角が１２０°であるような場合に光度に応じて反射率を決定すれば、同心円状とする場合よりも更に輝度むらを低減することができる。
【００４７】
（１３）  上記実施の形態においては、天井埋め込み型の照明ユニットについて説明したが、本発明がこれに限定されないのは言うまでもなく、天井埋め込み型以外の照明ユニットに対しても本発明を適用して、その効果を得ることができる。
【産業上の利用可能性】
【００４８】
本発明に係る照明ユニットは、輝度むらが少なく、照明範囲を変化させることができる照明ユニットとして有用である。
【符号の説明】
【００４９】
１、２、５、６、７、８、９、１０、１１ａ、１１ｂ、１２…照明ユニット
１００、３００、５００、６１０、７０２、８０１、９００…ＬＥＤ
１００１、１１０１、１１１１、１２０１ａ、１２０１ｂ……ＬＥＤ
１０１、３０１、５０１、９０１、１００２、１１０２………基台
１１１２、１２０２…………………………………………………基台
１０２〜１０６、３０２〜３０８、５０２〜５０６、６０１…反射板
６１１、７０３、８０２〜８０４、９０２〜９０６……………反射板
１００３、１１０３〜１１０５、１１１３〜１１１５…………反射板
１２０３〜１２０５…………………………………………………反射板
１０７、７０４、８０５、１００４、１１０６、１１１６……拡散板
１２０６………………………………………………………………拡散板
１１０…………………………………………………………………天井面
１０３Ｓ、１０４Ｓ、４０３、９０３Ｓ、９０４Ｓ……………スリット
１０３Ｐ、１０４Ｐ…………………………………………………ピニオン
１０３Ｒ、１０４Ｒ…………………………………………………ラック
３０２Ｒ〜３０５Ｒ、５０２Ｒ、５０３Ｒ………………………レール
４０１…………………………………………………………………ホイール
４０２…………………………………………………………………駆動部
６０２…………………………………………………………………ワイヤ
６０３、６０４………………………………………………………プーリー
７０１…………………………………………………………………液晶シャッタ
９１０…………………………………………………………………破線
１１０７………………………………………………………………透光板
１１１７………………………………………………………………補助光源
【図１】
2011076906.tif 000003
【図３】
2011076906.tif 000004
【図４】
2011076906.tif 000005
【図５】
2011076906.tif 000006
【図６】
2011076906.tif 000007
【図７】
2011076906.tif 000008
【図８】
2011076906.tif 000009
【図９】
2011076906.tif 000010
【図１０】
2011076906.tif 000011
【図１１】
2011076906.tif 000012
【図１２】
2011076906.tif 000013
【図２】
2011076906.tif 000014